(57)【特許請求の範囲】
【請求項１】
一つの吸込口と、この吸込口を中心とする対称位置に巴状に形成した整流板の内面であるスクロール面に続く風路端にそれぞれ開口させた二つの吹出口を持つファンケーシングと、このファンケーシング内で回転し、上記吸込口から上記二つの吹出口へ向う気流を形成する多数の羽根を持つ羽根車とを備え、上記整流板の端の舌部に対する基部側を、前記スクロール面をカットして、このスクロール面の最大半径より小さい寸法でそれぞれ平面構成にし、一つの整流板の平面構成の部分と他の整流板の端の舌部とにより各吹出口への気流の出口を形成したことを特徴とする送風機。
【請求項２】
一つの吸込口と、この吸込口を中心とする対称位置に巴状に形成した整流板の内面であるスクロール面に続く風路端にそれぞれ開口させた二つの吹出口を持つファンケーシングと、このファンケーシング内で回転し、上記吸込口から上記二つの吹出口へ向う気流を形成する多数の羽根を持つ羽根車とを備え、上記ファンケーシングの吸込口と各吹出口とを上記羽根車の回転面に平行な面にそれぞれ開口させ、上記吸込口から吸い込んだ空気を各吹出口から軸方向に吹き出させるようにしたことを特徴とする送風機。
【請求項３】
請求項２に記載の送風機であって、整流板の端の舌部に対する基部側を、スクロール面をカットしてそのスクロール面の最大半径より小さい寸法でそれぞれ平面構成にし、一つの整流板の平面構成の部分と他の整流板の端の舌部とにより各吹出口への気流の出口を形成したことを特徴とする送風機。
【請求項４】
請求項２に記載の送風機であって、ファンケーシングの吸込口と各吹出口を同一方向に開口させたことを特徴とする送風機。
【請求項５】
請求項２に記載の送風機であって、吸込口に対して各吹出口を反対側に開口させたことを特徴とする送風機。
【請求項６】
請求項２に記載の送風機であって、各スクロール面に続く風路に吹出口側へ空気流を案内する曲面構成のガイド部を設けたことを特徴とする送風機。
【請求項７】
請求項２から請求項６までのいずれかに記載の送風機であって、各スクロール面で画成される羽根車の回転する渦巻室に関する吸込口に対向する面をモータ取付板によって閉止したことを特徴とする送風機。
【発明の詳細な説明】
【０００１】
【発明の属する技術分野】
本発明は空調設備に供せられる遠心式の送風機に関するものである。
【０００２】
【従来の技術】
上記この種の送風機は、渦巻状のケーシング内に回転方向に対して前向きの多数の羽根を持つ羽根車が組込まれている。吸込口はケーシングの羽根車の回転面に平行な一側に形成され、吹出口はケーシングの外周部において吸込口に直交する向きに開設されている。多くは吹出口が一つの一方向吹出し式であるが、この形式のものは空気流が偏流になる傾向が強いため、例えば図１０に示すように二つの吹出口１０１，１０２を１８０度の間隔で反対方向に開設させることにより、偏流を緩和した空調設備用の送風機が開発されている（実開平４―１０３２９５号公報参照）。
【０００３】
【発明が解決しようとする課題】
上記のような従来の遠心式の送風機は、いずれにしろ送風機自体では軸方向の気流を形成することはできず、二つの吹出口１０１，１０２を１８０度の間隔で反対方向に開設したものでは、送風機自体をチャンバ構造体に収め、チャンバ構造体により二つの吹出口１０１，１０２から吹出される気流をまとめて吹出させなくてはならず、チャンバ構造体により気流の向きを急激に変えるため圧力損失が大きく、騒音の点でも問題があるばかりでなく、構成部品も多くなり全体が大型化するといった問題点もある。
【０００４】
本発明は上記した従来の問題点を解消するためになされたもので、その課題とするところは、軸方向の空気流を形成することができ、偏流も少ない遠心式の送風機を得ることであり、偏流の少ない遠心式の送風機の小型化を達成することであり、風量特性が良く偏流も少ない空調装置への適用性が高い遠心式の送風機を得ることである。
【０００５】
【課題を解決するための手段】
前記課題を達成するために請求項１の発明は、一つの吸込口と、この吸込口を中心とする対称位置に巴状に形成した整流板の内面であるスクロール面に続く風路端にそれぞれ開口させた二つの吹出口を持つファンケーシングと、このファンケーシング内で回転し、上記吸込口から上記二つの吹出口へ向う気流を形成する多数の羽根を持つ羽根車とを備え、その整流板の端の舌部に対する基部側を、スクロール面をカットして、スクロール面の最大半径より小さい寸法でそれぞれ平面構成にし、一つの整流板の平面構成の部分と他の整流板の端の舌部とにより各吹出口への気流の出口を形成する手段を採用する。
【０００６】
上記手段を採用することにより、整流板の対数螺旋状に拡がる拡がり具合を示す指標である拡大率を大きくできるとともに、ファンケーシングの寸法を小さくすることができる。
【０００７】
前記課題を達成するために請求項２の発明は、一つの吸込口と、この吸込口を中心とする対称位置に巴状に形成した整流板の内面であるスクロール面に続く風路端にそれぞれ開口させた二つの吹出口を持つファンケーシングと、このファンケーシング内で回転し、吸込口から二つの吹出口へ向う気流を形成する多数の羽根を持つ羽根車とを備え、そのファンケーシングの吸込口と各吹出口とを羽根車の回転面に平行な面にそれぞれ開口させる手段を採用する。
【０００８】
上記手段を採用することにより、吸込口から吸い込んだ空気を各吹出口から軸方向の空気流として吹き出させることができる。
【０００９】
前記課題を達成するために請求項３の発明は、請求項２に係る前記手段における整流板の端の舌部に対する基部側を、スクロール面をカットしてスクロール面の最大半径より小さい寸法でそれぞれ平面構成にし、一つの整流板の平面構成の部分と他の整流板の端の舌部とにより各吹出口への気流の出口を形成する手段を採用する。
【００１０】
上記手段を採用することにより、請求項２に係る前記機能とともに吸込口から吸い込んだ空気を各吹出口から軸方向の空気流として吹き出させることができ、しかも整流板の対数螺旋状に拡がる拡がり具合を示す指標である拡大率を大きくできるので出口を大きくすることが可能になる。
【００１１】
前記課題を達成するために請求項４の発明は、請求項２に係る前記手段におけるファンケーシングの吸込口と各吹出口を同一方向に開口させる手段を採用する。
【００１２】
上記手段を採用することにより、請求項２に係る前記機能とともに送風機に連絡させる吸込側と吹出側の各流路系を片側にまとめて構成することが可能になる。
【００１３】
前記課題を達成するために請求項５の発明は、請求項２に係る前記手段における吸込口に対して各吹出口を反対側に開口させる手段を採用する。
【００１４】
上記手段を採用することにより、請求項２に係る前記機能とともに送風機に接続する吸込側と吹出側の各流路系を反対側に構成することが可能になる。
【００１５】
前記課題を達成するために請求項６の発明は、請求項２に係る前記手段における各スクロール面に続く風路に吹出口側へ空気流を案内する曲面構成のガイド部を設ける手段を採用する。
【００１６】
上記手段を採用することにより、請求項２に係る前記機能とともに気流が円滑に軸方向に向けられるので圧力損失が低減する。
【００１７】
前記課題を達成するために請求項７の発明は、請求項２から請求項６までのいずれかに係る前記手段における各スクロール面で画成される渦巻室に関する吸込口に対向する面をモータ取付板によって閉止する手段を採用する。
【００１８】
上記手段を採用することにより、請求項２から請求項６までのいずれかに係る前記機能とともに、各吹出口の開口面積を広くすることができる。
【００１９】
【発明の実施の形態】
次に本発明の実施の形態を図面に基づいて説明する。
実施の形態１．
図１に示すこの実施の形態１の送風機は、ファンケーシング１内に回転方向に対して前向きの多数の羽根を持つ羽根車２を組込んだシロッコファンとも称される遠心式の送風機であり、そのファンケーシング１に以下に述べるような特徴がある。即ち、ファンケーシング１は６面体の箱形をなし、吸込み側を正面とした場合（以降の説明でも吸込み側を正面とするものとし、図１は背面視での斜視図である）、その正面形状は長方形であり、正面中央に一つの吸込口３が形成されている。ファンケーシング１の内部は、ファンケーシング１の背面図である図２に示すようにこの吸込口３を中心とする対称位置に巴状に二つの整流板４が吸込口３を囲むように形成されている。各整流板４の内周面は渦巻き状のスクロール面５として形成され、この各スクロール面５に続く風路６端にそれぞれ二つの吹出口７，８が背面側に向いて開設されている。
【００２０】
各整流板４の基部Ａ側はスクロール面の最大半径より小さい寸法でそれぞれ平面Ｂに構成され、一つの整流板４の平面Ｂの部分と他の整流板４の端の舌部９とにより各吹出口７，８への気流の出口１０が形成されている。実際には吸込口３の中心を通る水平面に対して仰角４５度〜９０度でスクロール面がカットされ水平方向の平面Ｂとして連続し、それぞれ風路６が連続して形成されている。一方の風路６は一方の整流板４と正壁面１１と上壁面１２と右壁面１３とで画成され吸込口３の右側に形成され、他方の風路６は他方の整流板４と正壁面１１と下壁面１４と左壁面１５とで画成され吸込口３の左側に形成されている。各風路６には背面側に向って開口する各吹出口７，８側へ気流を案内する曲面構成のガイド部１６が形成されている。このガイド部１６は、正壁面１１と上壁面１２との入隅部と、正壁面１１と下壁面１４との入隅部とに滑り台状の吹出口７，８に向う曲面を形成している。また、一方の風路６の上壁面１２と右壁面１３との角部と、他方の風路６の下壁面１４と左壁面１５との角部とにはそれぞれ円弧状のガイド壁１７が形成されている。
【００２１】
二つの整流板４の内面で画成される渦巻室１８はファンケーシング１の背面側に装着されたモータ取付板１９によって閉止されている。このモータ取付板１９にはモータ２０が、その回転軸が渦巻室１８の中心に突き出すように取付けられ、この回転軸に対して羽根車２が渦巻室１８内で回転できるように装着されている。従って、羽根車２の回転面と吸込口３と吹出口７，８の開口するそれぞれの面とは平行となっている。なお、この実施の形態１のファンケーシング１は、加工性が良く吸音性もある発泡スチロールの成形物として構成されているが、通常良く見られるように板金で構成しても構わない。
【００２２】
この送風機は二つの吹出口７，８を持ち、この種の従来のものと同様に偏流緩和機能を持つが、遠心式の構成で軸方向の吹き出し気流を形成できる点に大きな特徴がある。即ち、羽根車２が回転すると吸込口３から渦巻室１８に空気が吸込まれる。吸込まれた空気は羽根車２の回転による遠心力と渦巻室１８の形状により速度と圧力とが加えられ各スクロール面５に案内され二つの風路６に流れ込み、風路６のガイド壁１７の円弧面とガイド部１６の曲面とにより、各吹出口７，８側へ円滑に向けられ各吹出口７，８から軸方向へ吹出される。即ち、図３，４に示すように渦巻室１８の出口１０から風路６へ出た気流がガイド壁１７で垂直方向に回転するように進んだ後、ガイド部１６により滑り台を滑るように背面側の吹出口７，８へ向うことになり、風路６の圧力損失が少なく風量特性が向上するうえ、騒音も低減する。従って、軸方向の気流をチャンバ構造体等を必要とすることなく単独に形成できることとあいまって空調設備の送風機としての適用性が増す。
【００２３】
また、ファンケーシング１の上面と下面が、各スクロール面５の最大半径より小さい寸法でカットされ（平面Ｂ）ているので、整流板４の対数螺旋状に拡がる拡がり具合を示す指標である拡大率が大きくなっており、これにより渦巻室１８の各出口１０を大きくとれ風量特性も向上する。
【００２４】
なお、図５に示すように二つの吹出口７，８を吸込口３のある正面に形成し、正面側へ吹出すようにすることもでき、これにより送風機に連絡させる吸込側と吹出側の各流路系を片側にまとめて構成することが可能になるが、風路６により気流をＵターンさせることになるので送風性能の上からはあまり有効性はない。
【００２５】
実施の形態２．
図６はこの実施の形態２の送風機を示す背面図である。この実施の形態２の送風機は風路における気流ガイドに特徴があるもので、これに係る構成以外は実施の形態１のものと同じである。従って、実施の形態１のものと同じ部分は同じ符号を使用しそれらについての説明は省略する。
【００２６】
この実施の形態２の送風機は風路６の正壁面１１と右壁面１３との入隅部と、正壁面１１と左壁面１５との入隅部とに図７に示すような各吹出口７，８へ向う湾曲面を持つ気流ガイド２１を一体構成又は別体構成で設けたものである。これ以外の構成は実施の形態１のものと同じである。この送風機の機能も基本的には実施の形態１のものと同じであるが、図６に示すように渦巻室１８から風路６へ出た気流が横方向に進んだ後、気流ガイド２１の湾曲面とガイド部１６とにより背面側の各吹出口７，８へ向うことになり、実施の形態１のものを回転吹出型とすれば平行吹出型ともいえるものである。これ以外の機能は実施の形態１のものと同じであるのでその説明は省略する。
【００２７】
実施の形態３．
この実施の形態３は、実施の形態１，２で示した送風機を図８に示すように空調装置の一種である加湿装置２２に適用したものである。加湿装置２２は本体ケーシング２３に送風機２４（実施の形態１，２で示した送風機である）とフィルタ２５と加湿器２６とが直線的に組込まれた構成である。本体ケーシング２３は直線的な通風路を構成していて、送風機２４の下流側に送風機２４に近接してフィルタ２５と加湿器２６とが装着されている。送風機２４から吹出される気流は二つの開口面積の広い吹出口７，８から偏流や乱流の少ない軸流となってフィルタ２５及び加湿器２６の全面をほぼ一様に通過する。加湿器２６は自然蒸発式で一様に送風機２４による気流が通過するため加湿機能が向上することになり、装置も小型化できる。また、フィルタ２５を通過するまでの気流が乱流の少ない軸流であるので、圧力損失も少なく風量特性が良く騒音も少ない加湿装置となる。
【００２８】
なお、図９に示すように送風機２４のファンケーシング１の背面側に溝等の取付構造２７を設け、この取付構造２７に直接にフィルタ２５を装着するようにすれば、送風機２４と一体化した構成の簡素な小型のフィルタユニットを構成することもできる。
【００２９】
【発明の効果】
以上の説明でも明らかなように、請求項１の発明によれば整流板の対数螺旋状に拡がる拡がり具合を示す指標である拡大率を大きくでき、出口を大きくできるので風量特性が向上するとともに、ファンケーシングの寸法も小さくすることができる。
【００３０】
請求項２の発明によれば、吸込口から吸い込んだ空気を各吹出口から軸方向の空気流として吹き出させることができる偏流の少ない遠心式の送風機が得られる。
【００３１】
請求項３の発明によれば、請求項２に係る前記効果とともに整流板の対数螺旋状に拡がる拡がり具合を示す指標である拡大率を大きくできるので出口を大きくすることができ、風量特性が向上する。
【００３２】
請求項４の発明によれば、請求項２に係る前記効果とともに送風機に連絡させる吸込側と吹出側の各流路系を片側にまとめて構成することが可能になり、空調設備への適用性が増す。
【００３３】
請求項５の発明によれば、請求項２に係る前記効果とともに送風機に接続する吸込側と吹出側の各流路系を反対側に構成することが可能になり、空調設備への適用性が増す。
【００３４】
請求項６の発明によれば、請求項２に係る前記効果とともに気流が円滑に軸方向に向けられるので圧力損失が低減し、風量特性が向上するうえ騒音も低減する。
【００３５】
請求項７の発明によれば、請求項２から請求項６までのいずれかに係る前記効果とともに、各吹出口の開口面積を広くすることができ、フィルタユニットや加湿装置等の空調装置への適用性を高くすることができる。
【図面の簡単な説明】
【図１】  実施の形態１を示す送風機の斜視図である。
【図２】  実施の形態１の送風機のファンケーシングを単独に示す背面図である。
【図３】  実施の形態１の送風機の送風機能を示す機能説明図である。
【図４】  実施の形態１の送風機の送風機能を示す背面図である。
【図５】  実施の形態１の送風機の他の形態を示す側面図である。
【図６】  実施の形態２の送風機を示す背面図である。
【図７】  実施の形態２の送風機の気流ガイドを示す拡大斜視図である。
【図８】  実施の形態３による送風機の適用例を示す加湿装置の構成図である。
【図９】  実施の形態３による送風機の適用例を示すフィルタユニットの斜視図である。
【図１０】  従来の送風機を示す斜視図である。
【符号の説明】
１  ファンケーシング
２  羽根車
３  吸込口
４  整流板
５  スクロール面
６  風路
７  吹出口
８  吹出口
９  舌部
１０  出口
１６  ガイド部
１７  ガイド壁
１８  渦巻室
１９  モータ取付板
Ａ  基部
Ｂ  平面
【図１】
0003651515.tif 000002
【図２】
0003651515.tif 000003
【図３】
0003651515.tif 000004
【図４】
0003651515.tif 000005
【図５】
0003651515.tif 000006
【図６】
0003651515.tif 000007
【図７】
0003651515.tif 000008
【図８】
0003651515.tif 000009
【図９】
0003651515.tif 000010
【図１０】
0003651515.tif 000011